(57)【要約】【課題】ドレン量が減少した場合、加圧蒸気量を節約する。【解決手段】ドレン回収システム１は、ボイラ装置１０と、ドレンを大気に開放することなく回収するドレンタンク２０と、ドレンタンク２０に収容されたドレンをボイラ装置１０に供給するドレン供給ラインＬ３と、蒸気ヘッダ１２からドレンタンク２０へ加圧蒸気を供給する加圧蒸気ラインＬ６と、ドレンタンク２０の内部の水位を検出する水位センサ２０２と、制御部５０と、を備え、制御部５０は、予め設定された所定条件を満たす場合に加圧蒸気をドレンタンク２０に供給させる加圧蒸気供給制御部５０１と、所定条件を満たし、水位センサ２０２により検出されるドレンタンク２０の内部の水位が予め設定される第１水位になるか又は第１水位を下回った場合に、一部又は全部のボイラへのドレンの供給を停止させるドレン供給制御部５０３１と、を備える。【選択図】図１
2019124407.tif 000002
【特許請求の範囲】
【請求項１】
蒸気を生成して、蒸気ヘッダを介して負荷機器に供給する１台以上のボイラを含むボイラ装置と、
前記負荷機器が蒸気を使用することによって凝縮して生じたドレンを大気に開放することなく回収する密閉型のドレンタンクと、
前記負荷機器と前記ドレンタンクとを接続するドレン回収ラインと、
前記ドレンタンクに収容されたドレンを前記ボイラ装置に供給するドレン供給ラインと、
前記蒸気ヘッダから前記ドレンタンクへ加圧蒸気を供給する加圧蒸気ラインと、
前記ドレンタンクの内部の水位を検出する水位検出部と、
制御部と、
を備えるドレン回収システムであって、
前記制御部は、
予め設定された所定条件を満たす場合に前記加圧蒸気を前記ドレンタンクに供給させる加圧蒸気供給制御部と、
前記所定条件を満たし、前記水位検出部により検出される前記ドレンタンクの内部の水位が予め設定される第１水位になるか又は第１水位を下回った場合に、一部又は全部のボイラへのドレンの供給を停止させるドレン供給制御部と、
を備える、ドレン回収システム。
【請求項２】
前記ドレン供給制御部は、
一部又は全部のボイラへのドレンの供給を停止させた後、前記水位検出部により検出される前記ドレンタンクの内部の水位が予め設定される第２水位になるか又は第２水位を上回った場合に、一部又は全部のボイラへのドレンの供給を開始させる、請求項１に記載のドレン回収システム。
【請求項３】
補給水を収容する補給水タンクと、
前記補給水タンクに収容された補給水を前記ボイラ装置に供給する予備給水ラインと、を備え、
前記制御部は、さらに、
前記ドレン供給制御部により、前記一部又は全部のボイラへのドレンの供給を停止させた場合、前記一部又は全部のボイラへの補給水の供給を開始させ、
前記ドレン供給制御部により、前記一部又は全部のボイラへのドレンの供給を開始させた場合、前記一部又は全部のボイラへの補給水の供給を停止させる予備給水制御部を備える、請求項２に記載のドレン回収システム。
【請求項４】
補給水を収容する補給水タンクと、
前記補給水タンクに収容された補給水を前記ボイラ装置に供給する予備給水ラインと、を備え、
前記ドレン供給制御部は、
前記一部又は全部のボイラに対して、クローズド給水オフ信号を送信することで、前記一部又は全部のボイラへのドレンの供給を停止させるとともに、前記一部又は全部のボイラへの補給水の供給を開始させ、
前記一部又は全部のボイラに対して、クローズド給水オン信号を送信することで、前記一部又は全部のボイラへのドレンの供給を開始させるとともに、前記一部又は全部のボイラへの補給水の供給を停止させる、請求項１又は請求項２に記載のドレン回収システム。
【請求項５】
前記ドレンタンクの内部の圧力を検出する圧力検出部を備え、
前記所定条件は、
前記圧力検出部により検出される前記ドレンタンクの内部の圧力が予め設定された第１圧力値であるか又は未満である、請求項１から請求項４の何れか１項に記載のドレン回収システム。
【請求項６】
前記ドレン供給ラインに、ドレン供給ポンプと、前記ドレン供給ポンプにおけるポンプ吐出圧力を検出するポンプ吐出圧力検出部と、を備え、
前記所定条件は、
前記ポンプ吐出圧力検出部により検出されるポンプ吐出圧力が予め設定された第２圧力値であるか又は未満である、請求項１から請求項４の何れか１項に記載のドレン回収システム。
【請求項７】
蒸気を生成して、蒸気ヘッダを介して負荷機器に供給する１台以上のボイラを含むボイラ装置と、
前記負荷機器が蒸気を使用することによって凝縮して生じたドレンを大気に開放することなく回収する密閉型のドレンタンクと、
前記負荷機器と前記ドレンタンクとを接続するドレン回収ラインと、
前記ドレンタンクに収容されたドレンを前記ボイラ装置に供給するドレン供給ラインと、
前記ドレンタンクの内部の水位を検出する水位検出部と、
制御部と、
を備えるドレン回収システムであって、
前記制御部は、
前記水位検出部により検出される前記ドレンタンクの内部の水位が予め設定される第１水位になるか又は第１水位を下回った場合に、一部又は全部のボイラへのドレンの供給を停止させ、
前記水位検出部により検出される前記ドレンタンクの内部の水位が予め設定される第２水位になるか又は第２水位を上回った場合に、ドレンの供給を停止させていた一部又は全部のボイラへのドレンの供給を開始させるドレン供給制御部を備える、
ドレン回収システム。
【請求項８】
補給水を収容する補給水タンクと、
前記補給水タンクに収容された補給水を前記ボイラ装置に供給する予備給水ラインと、を備え、
前記制御部は、さらに、
前記ドレン供給制御部により、前記一部又は全部のボイラへのドレンの供給を停止させた場合、前記一部又は全部のボイラへの補給水の供給を開始させ、
前記ドレン供給制御部により、前記一部又は全部のボイラへのドレンの供給を開始させた場合、前記一部又は全部のボイラへの補給水の供給を停止させる予備給水制御部を備える、請求項７に記載のドレン回収システム。
【請求項９】
補給水を収容する補給水タンクと、
前記補給水タンクに収容された補給水を前記ボイラ装置に供給する予備給水ラインと、を備え、
前記ドレン供給制御部は、
前記一部又は全部のボイラに対して、クローズド給水オフ信号を送信することで、前記一部又は全部のボイラへのドレンの供給を停止させるとともに、前記一部又は全部のボイラへの補給水の供給を開始させ、
前記一部又は全部のボイラに対して、クローズド給水オン信号を送信することで、前記一部又は全部のボイラへのドレンの供給を開始させるとともに、前記一部又は全部のボイラへの補給水の供給を停止させる、請求項７に記載のドレン回収システム。
【請求項１０】
前記制御部は、
予めドレンの供給対象とするボイラ台数の最大値を設定するクローズド給水ボイラ台数設定部と、
燃焼状態のボイラに対して、燃焼時間に基づいてドレンの供給を優先するクローズド給水優先順位を設定する給水優先順位設定部と、を備え、
前記ドレン供給制御部は、
前記一部又は全部のボイラへのドレンの供給を開始させる場合、前記給水優先順位設定部により設定されたクローズド給水優先順位の高いボイラを選択して、選択されたボイラに対してドレンの供給を開始させ、
前記一部又は全部のボイラへのドレンの供給を停止させる場合、前記給水優先順位設定部により設定されたクローズド給水優先順位の低いボイラを選択して、選択されたボイラに対してドレンの供給を停止させる、請求項２から請求項９の何れか１項に記載のドレン回収システム。
【発明の詳細な説明】
【技術分野】
【０００１】
本発明は、ドレン回収システムに関する。より詳細には、負荷機器から排出されるドレンを、大気に開放することなく回収してボイラに給水するクローズド方式のドレン回収システムに関する。
【背景技術】
【０００２】
ボイラによって生成された蒸気を負荷機器に供給し、負荷機器において熱源として使用された蒸気が凝縮して発生するドレンを、耐圧性を有する密閉型のドレンタンクに高温・高圧の状態で回収して、再度ボイラに給水するクローズド方式のボイラシステムが提案されている（例えば、特許文献１参照）。
【先行技術文献】
【特許文献】
【０００３】
【特許文献１】特開２０１３−２０５００６号公報
【発明の概要】
【発明が解決しようとする課題】
【０００４】
従来、クローズド方式のボイラシステムにおいては、全てのボイラに対してドレン給水を行うように制御されるが、ドレンタンクに回収されるドレン量は必ずしも同じ量ではなく、むしろ変化しており、例えば、回収されるドレン量が少ない時間帯においてはドレンタンクの水位が下がり、ドレンタンクへのオープンタンクからの補給水量が増えることとなる。この場合、ドレンタンク内の温度が下がることでドレンタンクの内部の圧力が低下し、ドレンタンクの内部の圧力を所定の値以上に保つために、加圧蒸気量を増やす必要が生じる。そうすると、結局、加圧蒸気がロスになり、熱効率が低下する。
【０００５】
本発明は、ドレン量に応じてクローズド給水ボイラ台数を制御することにより、ドレンを無駄なく利用することが可能となり、熱効率をより高めることができるクローズドドレン回収システムを提供することを目的とする。
【課題を解決するための手段】
【０００６】
本発明は、蒸気を生成して、蒸気ヘッダを介して負荷機器に供給する１台以上のボイラを含むボイラ装置と、前記負荷機器が蒸気を使用することによって凝縮して生じたドレンを大気に開放することなく回収する密閉型のドレンタンクと、前記負荷機器と前記ドレンタンクとを接続するドレン回収ラインと、前記ドレンタンクに収容されたドレンを前記ボイラ装置に供給するドレン供給ラインと、前記蒸気ヘッダから前記ドレンタンクへ加圧蒸気を供給する加圧蒸気ラインと、前記ドレンタンクの内部の水位を検出する水位検出部と、制御部と、を備えるドレン回収システムであって、前記制御部は、予め設定された所定条件を満たす場合に前記加圧蒸気を前記ドレンタンクに供給させる加圧蒸気供給制御部と、前記所定条件を満たし、前記水位検出部により検出される前記ドレンタンクの内部の水位が予め設定される第１水位になるか又は第１水位を下回った場合に、一部又は全部のボイラへのドレンの供給を停止させるドレン供給制御部と、を備える、ドレン回収システムに関する。
【０００７】
前記ドレン供給制御部は、一部又は全部のボイラへのドレンの供給を停止させた後、前記水位検出部により検出される前記ドレンタンクの内部の水位が予め設定される第２水位になるか又は第２水位を上回った場合に、一部又は全部のボイラへのドレンの供給を開始させることが好ましい。
【０００８】
前記ドレン回収システムは、補給水を収容する補給水タンクと、前記補給水タンクに収容された補給水を前記ボイラ装置に供給する予備給水ラインと、を備え、前記制御部は、さらに、前記ドレン供給制御部により、前記一部又は全部のボイラへのドレンの供給を停止させた場合、前記一部又は全部のボイラへの補給水の供給を開始させ、前記ドレン供給制御部により、前記一部又は全部のボイラへのドレンの供給を開始させた場合、前記一部又は全部のボイラへの補給水の供給を停止させる予備給水制御部を備えることが好ましい。
【０００９】
前記ドレン回収システムは、補給水を収容する補給水タンクと、前記補給水タンクに収容された補給水を前記ボイラ装置に供給する予備給水ラインと、を備え、前記ドレン供給制御部は、前記一部又は全部のボイラに対して、クローズド給水オフ信号を送信することで、前記一部又は全部のボイラへのドレンの供給を停止させるとともに、前記一部又は全部のボイラへの補給水の供給を開始させ、前記一部又は全部のボイラに対して、クローズド給水オン信号を送信することで、前記一部又は全部のボイラへのドレンの供給を開始させるとともに、前記一部又は全部のボイラへの補給水の供給を停止させるようにしてもよい。
【００１０】
前記ドレン回収システムは、前記ドレンタンクの内部の圧力を検出する圧力検出部を備え、前記所定条件は、前記圧力検出部により検出される前記ドレンタンクの内部の圧力が予め設定された第１圧力値であるか又は未満であることが好ましい。
【００１１】
前記ドレン回収システムは、前記ドレン供給ラインに、ドレン供給ポンプと、前記ドレン供給ポンプにおけるポンプ吐出圧力を検出するポンプ吐出圧力検出部と、を備え、前記所定条件は、前記ポンプ吐出圧力検出部により検出されるポンプ吐出圧力が予め設定された第２圧力値であるか又は未満であることが好ましい。
【００１２】
また、本発明は、蒸気を生成して、蒸気ヘッダを介して負荷機器に供給する１台以上のボイラを含むボイラ装置と、前記負荷機器が蒸気を使用することによって凝縮して生じたドレンを大気に開放することなく回収する密閉型のドレンタンクと、前記負荷機器と前記ドレンタンクとを接続するドレン回収ラインと、前記ドレンタンクに収容されたドレンを前記ボイラ装置に供給するドレン供給ラインと、前記ドレンタンクの内部の水位を検出する水位検出部と、制御部と、を備えるドレン回収システムであって、前記制御部は、前記水位検出部により検出される前記ドレンタンクの内部の水位が予め設定される第１水位になるか又は第１水位を下回った場合に、一部又は全部のボイラへのドレンの供給を停止させ、前記水位検出部により検出される前記ドレンタンクの内部の水位が予め設定される第２水位になるか又は第２水位を上回った場合に、ドレンの供給を停止させていた一部又は全部のボイラへのドレンの供給を開始させるドレン供給制御部を備える、ドレン回収システムに関する。
【００１３】
前記ドレン回収システムは、補給水を収容する補給水タンクと、前記補給水タンクに収容された補給水を前記ボイラ装置に供給する予備給水ラインと、を備え、前記制御部は、さらに、前記ドレン供給制御部により、前記一部又は全部のボイラへのドレンの供給を停止させた場合、前記一部又は全部のボイラへの補給水の供給を開始させ、前記ドレン供給制御部により、前記一部又は全部のボイラへのドレンの供給を開始させた場合、前記一部又は全部のボイラへの補給水の供給を停止させる予備給水制御部を備えることが好ましい。
【００１４】
前記ドレン回収システムは、補給水を収容する補給水タンクと、前記補給水タンクに収容された補給水を前記ボイラ装置に供給する予備給水ラインと、を備え、前記ドレン供給制御部は、前記一部又は全部のボイラに対して、クローズド給水オフ信号を送信することで、前記一部又は全部のボイラへのドレンの供給を停止させるとともに、前記一部又は全部のボイラへの補給水の供給を開始させ、前記一部又は全部のボイラに対して、クローズド給水オン信号を送信することで、前記一部又は全部のボイラへのドレンの供給を開始させるとともに、前記一部又は全部のボイラへの補給水の供給を停止させるようにしてもよい。
【００１５】
前記ドレン回収システムにおいて、前記制御部は、予めドレンの供給対象とするボイラ台数の最大値を設定するクローズド給水ボイラ台数設定部と、燃焼状態のボイラに対して、燃焼時間に基づいてドレンの供給を優先するクローズド給水優先順位を設定する給水優先順位設定部と、を備え、前記ドレン供給制御部は、前記一部又は全部のボイラへのドレンの供給を開始させる場合、前記給水優先順位設定部により設定されたクローズド給水優先順位の高いボイラを選択して、選択されたボイラに対してドレンの供給を開始させ、前記一部又は全部のボイラへのドレンの供給を停止させる場合、前記給水優先順位設定部により設定されたクローズド給水優先順位の低いボイラを選択して、選択されたボイラに対してドレンの供給を停止させることが好ましい。
【発明の効果】
【００１６】
本発明によれば、ドレン量に応じてクローズド給水ボイラ台数を制御することにより、ドレンを無駄なく利用することが可能となり、熱効率をより高めることができる。
【図面の簡単な説明】
【００１７】
【図１】本発明の第１実施形態に係るドレン回収システムの構成を示す図である。
【図２】第１実施形態の制御部の構成を示す機能ブロック図である。
【図３Ａ】第１実施形態に係るドレン回収システムのクローズド給水ボイラ台数制御に係る処理手順の一例を示すフローチャートである。
【図３Ｂ】第１実施形態に係るドレン回収システムのクローズド給水ボイラ台数制御に係る処理手順の一例を示すフローチャートである。
【図４】第１実施形態の変形例に係るドレン回収システムの構成を示す図である。
【図５】本発明の第２実施形態に係るドレン回収システムの構成を示す図である。
【図６】第２実施形態の制御部の構成を示す機能ブロック図である。
【図７Ａ】第２実施形態に係るドレン回収システムのクローズド給水ボイラ台数制御に係る処理手順の一例を示すフローチャートである。
【図７Ｂ】第２実施形態に係るドレン回収システムのクローズド給水ボイラ台数制御に係る処理手順の一例を示すフローチャートである。
【図８】本発明の第３実施形態に係るドレン回収システムの構成を示す図である。
【図９】第３実施形態の制御部の構成を示す機能ブロック図である。
【図１０】本発明の第４実施形態に係るドレン回収システムの構成を示す図である。
【図１１】第４実施形態の制御部の構成を示す機能ブロック図である。
【発明を実施するための形態】
【００１８】
［第１実施形態］
以下、本発明のドレン回収システムの好ましい各実施形態について、図面を参照しながら説明する。まず、第１実施形態のドレン回収システム１について、図１及び図２を参照しながら説明する。第１実施形態のドレン回収システム１は、負荷機器から排出されるドレンを、大気に開放することなく回収し、回収したドレンをボイラ装置に供給するクローズド方式のボイラシステムに係るドレン回収システムであって、ドレンタンク２０の容量が例えば、１００Ｌ〜５０００Ｌ程度の大容量の圧力容器により構成されるとともに、ドレンタンク２０の内部の圧力値が所定の範囲内に収まるように、貫流ボイラ１１で生成された蒸気（加圧蒸気）を例えば蒸気ヘッダ１２を介してドレンタンク２０に供給するように制御される構成を備える。
【００１９】
ドレン回収システム１は、図１に示すように、ボイラ装置１０と、密閉型のドレンタンク２０と、オープンタンク３０と、負荷機器４０と、制御部５０と、を備える。また、ドレン回収システム１は、これらの機器を接続し、蒸気又は水が流通する複数のラインを備える。具体的には、ドレン回収システム１は、ラインとして、蒸気供給ラインＬ１と、ドレン回収ラインＬ２と、ドレン供給ラインＬ３と、フラッシュ蒸気ラインＬ４と、予備給水ラインＬ５と、加圧蒸気ラインＬ６と、補給水ラインＬ７と、を備える。
【００２０】
ボイラ装置１０は、図１に示すように、複数の貫流ボイラ１１と、これらの貫流ボイラ１１で生成された蒸気が集合される蒸気ヘッダ１２と、貫流ボイラ１１と蒸気ヘッダ１２とを連結する連結管１３と、を備える。
【００２１】
貫流ボイラ１１は、内部に供給された給水を燃焼ガスにより加熱して蒸気を生成する。第１実施形態では、貫流ボイラ１１（複数の水管）には、後述のドレンタンク２０に回収されたドレンやオープンタンク３０に貯留された補給水が給水として供給される。
第１実施形態では、ボイラ装置１０は、４台の貫流ボイラ１１を備える。なお、ボイラ装置１０が備える貫流ボイラ１１の台数は４台に限られない。１台以上任意の台数でもよい。
【００２２】
図１に示すように、貫流ボイラ１１で生成された蒸気は、連結管１３を通って蒸気ヘッダ１２に供給される。蒸気ヘッダ１２は、貫流ボイラ１１で生成された蒸気を貯留し、負荷機器４０に供給する。
負荷機器４０は、貫流ボイラ１１で生成された蒸気を熱源として利用し、加熱対象物との間で熱交換を行う。
【００２３】
ドレンタンク２０は、耐圧性を有する圧力容器により構成される。ドレンタンク２０は、貫流ボイラ１１により生成された蒸気が負荷機器４０で利用されることで凝縮して生じたドレンを高温高圧の状態で回収する。
第１実施形態のドレンタンク２０は、前述したとおり、容量が例えば１００Ｌ〜５０００Ｌ程度の大容量の圧力容器により構成される。
ドレンタンク２０には、ドレンタンク２０の内部の圧力を検出する圧力センサ２０１、及びドレンタンク２０の内部の水位を検出する水位検出部としての水位センサ２０２が設けられる。
圧力センサ２０１は、ドレンタンク２０の内部の圧力が、設定圧力範囲内であるか否かを検出する。圧力センサ２０１は、ドレンタンク２０自体に設置するのに換えて、ドレンタンク２０の内部の圧力と同等の圧力を検出できる箇所、例えば後述するフラッシュ蒸気ラインＬ４における圧力調整弁４１の一次側等に設置してもよい。
水位センサ２０２は、複数のレベルスイッチを備え、低水位から高水位に亘って、例えば、最低水位（以下「ＬＬ」ともいう）、第１水位（以下「Ｌ」ともいう）、第２水位（以下「Ｈ」ともいう）、最高水位（以下「ＨＨ」ともいう）の各水位をそれぞれ検出する。
【００２４】
オープンタンク３０は、大気に開放されている。オープンタンク３０には、予備給水ラインＬ５を介して直接貫流ボイラ１１に供給される補給水、又は補給水ラインＬ７を介してドレンタンク２０に供給される補給水を貯留する。オープンタンク３０には、例えば新水供給ライン（図示せず）から新水が導入されるとともに、後述するフラッシュ蒸気ラインＬ４を通じて、ドレンタンク２０においてドレンから発生したフラッシュ蒸気が導入される。
【００２５】
蒸気供給ラインＬ１は、蒸気ヘッダ１２と負荷機器４０とを接続し、ボイラ装置１０（貫流ボイラ１１）で生成された蒸気を負荷機器４０に供給する。
【００２６】
ドレン回収ラインＬ２は、負荷機器４０とドレンタンク２０とを接続し、負荷機器４０で発生したドレンがドレンタンク２０に回収される。ドレン回収ラインＬ２には、スチームトラップ２１、及び逆止弁２２が配置される。
スチームトラップ２１は、ドレン回収ラインＬ２における負荷機器４０の下流側に配置され、負荷機器４０において発生したドレンを排出し、かつ、蒸気の排出を防ぐ。逆止弁２２は、スチームトラップ２１の下流側に配置され、ドレン回収ラインＬ２においてドレンが負荷機器４０側に逆流することを防ぐ。
【００２７】
ドレン供給ラインＬ３は、ドレンタンク２０に収容されたドレンを送出する。具体的には、ドレン供給ラインＬ３は、ドレンタンク２０と貫流ボイラ１１とを接続し、ドレンタンク２０に回収されたドレンを複数の貫流ボイラ１１に供給する。
以下、ドレンの供給される貫流ボイラ１１を「クローズド給水ボイラ」ともいう。
ドレン供給ラインＬ３の上流側の端部は、ドレンタンク２０の下部に接続される。また、ドレン供給ラインＬ３の下流側は、複数の貫流ボイラ１１のそれぞれに接続されるように分岐している。ドレン供給ラインＬ３には、ドレン供給ポンプ３１及びドレン供給弁３２が配置される。
【００２８】
ドレン供給ポンプ３１は、ドレン供給ラインＬ３における分岐部分よりも上流側に配置され、ドレンタンク２０から供給されたドレンを昇圧して貫流ボイラ１１側に送り出す。ドレン供給ポンプ３１の出力（運転周波数）は、ドレンタンク２０に回収されるドレンの圧力及び貫流ボイラ１１の運転圧力に基いて予め設定される。
ドレン供給弁３２は、例えばモータバルブにより構成される。ドレン供給弁３２は、ドレン供給ラインＬ３における分岐部分よりも下流側に、複数の貫流ボイラ１１それぞれに対応して配置される。
【００２９】
フラッシュ蒸気ラインＬ４は、ドレンタンク２０とオープンタンク３０とを接続し、ドレンタンク２０で発生したフラッシュ蒸気をオープンタンク３０に排出する。このフラッシュ蒸気ラインＬ４には、圧力調整弁４１が配置されている。圧力調整弁４１は、ドレンタンク２０の内部の圧力が所定の圧力を超えた場合に、フラッシュ蒸気をオープンタンク３０側に逃がして、ドレンタンク２０の内部の圧力を低下させる。
【００３０】
予備給水ラインＬ５は、オープンタンク３０と複数の貫流ボイラ１１とを接続する。予備給水ラインＬ５は、後述する制御部５０によりクローズド給水ボイラの台数を減少させた場合（すなわち、いずれかの貫流ボイラ１１へのドレン供給ラインＬ３を介したドレンの供給を停止した場合）、当該貫流ボイラ１１に対して、ドレン供給に換えてオープンタンク３０に貯留された補給水を直接供給するための給水ラインである。
以下、予備給水ラインＬ５を介してオープンタンク３０から、直接補給水の供給される貫流ボイラ１１を「オープン給水ボイラ」ともいう。
予備給水ラインＬ５の上流側の端部は、オープンタンク３０の下部に接続される。また、予備給水ラインＬ５の下流側は、複数の貫流ボイラ１１のそれぞれに接続されるように分岐している。
【００３１】
予備給水ラインＬ５には、各貫流ボイラ１１に対応して、補助ポンプ５１、及び補助ポンプ方向の流れを阻止する逆止弁５２が配置される。補助ポンプ５１は、予備給水ラインＬ５における分岐部分よりも下流側に配置され、複数の貫流ボイラ１１に対応して複数設けられる。
【００３２】
加圧蒸気ラインＬ６は、蒸気ヘッダ１２とドレンタンク２０とを接続する。加圧蒸気ラインＬ６は、蒸気ヘッダ１２から、貫流ボイラ１１で生成された蒸気をドレンタンク２０に供給し、ドレンタンク２０の内部の圧力を調節する。より具体的には、ドレンタンク２０の内部の圧力は、予め設定された設定圧力以下にならないように後述する制御部５０により調節される。例えば、設定圧力は、ドレン供給ポンプ３１にキャビテーションが生じない押し込み圧力以上の圧力とすることが好ましい。
加圧蒸気ラインＬ６には、圧力調整弁６１及び加圧弁６２が配置される。加圧弁６２は、例えばモータバルブで構成される。圧力センサ２０１により検出されるドレンタンク２０の内部の圧力値が例えば予め設定された第１圧力値になるか又は第１設定圧力値を下回るとき、後述するように、制御部５０は、加圧弁６２をオンにして、ドレンタンク２０の内部の圧力値が第１圧力値になるか又は第１圧力値を超えるように、加圧蒸気の供給を行う。逆に圧力センサ２０１により検出されるドレンタンク２０の内部の圧力値が例えば予め設定された第２圧力値になるか又は第２圧力値を超えたときに、制御部５０は、加圧弁６２をオフにして、ドレンタンク２０の内部の圧力値が第２圧力値になるか又は第２圧力値未満になるように、加圧蒸気の供給を停止する。
【００３３】
補給水ラインＬ７は、オープンタンク３０とドレンタンク２０とを接続する。補給水ラインＬ７は、オープンタンク３０内に貯留された補給水をドレンタンク２０に供給する。補給水ラインＬ７には、補給水ポンプ７１、及び逆止弁７２が配置される。
逆止弁７２は、補給水ポンプ７１の下流側に配置され、補給水ラインＬ７において補給水がオープンタンク３０側に逆流することを防ぐ。
【００３４】
制御部５０は、圧力センサ２０１、及び水位センサ２０２等からの信号を入力して、ドレン供給ポンプ３１、ドレン供給弁３２、補助ポンプ５１、加圧弁６２、補給水ポンプ７１等を制御可能に構成される。
具体的には、図２に示すように、制御部５０は、加圧蒸気供給制御部５０１と、クローズド給水ボイラ台数制御部５０３と、補給水供給制御部５０４と、クローズド給水ボイラ台数設定部５０６と、給水優先順位設定部５０７と、備える。また、クローズド給水ボイラ台数制御部５０３は、さらにドレン供給制御部５０３１と、予備給水制御部５０３２と、を備える。
【００３５】
加圧蒸気供給制御部５０１は、前述したように、圧力センサ２０１によって検出されるドレンタンク２０内の圧力が予め設定された第１圧力値になるか又は第１圧力値を下回るとき、水位センサ２０２により検出されるドレンタンク２０内の水位がＬになるか又はＬを下回る場合を除いて、加圧弁６２をオンにして、ドレンタンク２０の内部の圧力値が第１圧力値になるか又は設定圧力を上回るように、蒸気ヘッダ１２から加圧蒸気の供給を行う。そうすることで、ドレンタンク２０内の圧力が低下しないように制御される。
【００３６】
クローズド給水ボイラ台数制御部５０３は、ドレン供給制御部５０３１と、予備給水制御部５０３２と、を備える。
圧力センサ２０１によって検出されるドレンタンク２０内の圧力が予め設定された第１圧力値になるか又は第１圧力値を下回り、かつ水位センサ２０２により検出されるドレンタンク２０内の水位がＬになるか又はＬを下回る場合、ドレン供給制御部５０３１は、後述するクローズド給水優先順位の低い貫流ボイラ１１に対応して設置されたドレン供給弁３２を閉状態とすることで、当該貫流ボイラ１１へのドレンの供給を停止させる。
より具体的には、クローズド給水ボイラへのドレンの供給を停止させる場合、ドレン供給制御部５０３１は、後述する給水優先順位設定部により設定されたクローズド給水優先順位の低い貫流ボイラ１１を選択して、選択された貫流ボイラ１１に対応して設置されたドレン供給弁３２を閉状態とすることで、当該貫流ボイラ１１へのドレンの供給を停止させる。
また、予備給水制御部５０３２は、ドレン供給を停止した当該貫流ボイラ１１に対応して設置された補助ポンプ５１を起動することで、予備給水ラインＬ５を介してオープンタンク３０に貯留された補給水を供給する。
これにより、クローズド給水ボイラ台数制御部５０３は、ドレンタンク２０内の圧力が第１圧力値になるか又は第１圧力値を下回り、かつドレンタンク２０内の水位がＬになるか又はＬを下回る場合、クローズド給水ボイラの台数を減少させるとともに、オープン給水ボイラの台数を増加させることができる。
こうすることで、ドレン量が減少した場合でもドレンタンクの水温低下及び圧力低下を抑制し、クローズドドレン回収装置の加圧状態を安定化し加圧蒸気量を節約することができる。
【００３７】
逆に、例えばドレン供給対象となる貫流ボイラ１１の台数を減少させた後ドレン量が増え、ドレンタンク２０内の水位がＨ以上となった場合、予備給水制御部５０３２は、クローズド給水優先順位の高い貫流ボイラ１１に対して、対応する補助ポンプ５１を停止することで、オープンタンク３０に貯留された補給水の供給を停止させる。また、ドレン供給制御部５０３１は、補給水の供給を停止した当該貫流ボイラ１１に対して、対応するドレン供給弁３２を開状態とすることで、ドレン供給ラインＬ３を介してドレンの供給を開始する。
より具体的には、貫流ボイラ１１へのドレンの供給を開始させる場合、ドレン供給制御部５０３１は、後述する給水優先順位設定部により設定されたクローズド給水優先順位の高い貫流ボイラ１１を選択して、選択された貫流ボイラ１１に対応して設置されたドレン供給弁３２を開状態とさせることで、当該貫流ボイラ１１へのドレンの供給を開始させる。
これにより、例えば、クローズド給水ボイラ台数制御部５０３は、ドレンタンク２０内の水位がＨ以上となった場合、クローズド給水ボイラの台数を増加させるとともに、オープン給水ボイラの台数を減少させる。
以上のように、ドレン量に応じてクローズド給水ボイラ台数を制御することにより、ドレンを無駄なく利用することが可能となり、熱効率をより高めることができる。
また、クローズド給水ボイラ台数制御部５０３の制御により、ドレン量が減少した場合でもドレンタンク２０の水温低下及び圧力低下を抑制し、ドレンタンク２０の加圧状態を安定化し加圧蒸気量を節約することで、熱効率の低下を防ぐことができるとともに、ドレン量を増やすことが可能となり、ドレンタンク２０の内部水位を上げることができる。
【００３８】
補給水供給制御部５０４は、圧力センサ２０１によって検出されるドレンタンク２０内の圧力が予め設定された第１圧力値になるか又は第１圧力値を上回り、かつ水位センサ２０２により検出されるドレンタンク２０内の水位がＬＬになるか又はＬＬを下回る場合、補給水ポンプ７１をオンにして、ドレンタンク２０の水位がＬに到達するまで、オープンタンク３０内に貯留された補給水を補給水ラインＬ７を介してドレンタンク２０に供給する。こうすることで、クローズド給水ボイラの台数を減少させることなく、ドレンタンク２０から、ドレン供給対象となる貫流ボイラ１１に対して、引き続きドレンを供給することができる。この場合、ドレン供給対象となる貫流ボイラ１１に対して、ドレンと補給水との混合水が供給される。
【００３９】
クローズド給水ボイラ台数設定部５０６は、複数の貫流ボイラ１１のうち、クローズド給水ボイラの最大台数を予め設定する。例えば、ドレン量が予め推定される場合、当該ドレン量に基づいて、クローズド給水ボイラの最大台数を設定することができる。そうすることで、クローズド給水ボイラ台数制御部５０３は、クローズド給水ボイラ台数設定部５０６により設定されたクローズド給水ボイラの最大台数の範囲内で、ドレンを供給するように制御する。
【００４０】
給水優先順位設定部５０７は、ボイラ装置１０に含まれる各貫流ボイラ１１のクローズド給水優先順位の設定及び変更を行う。ここで、クローズド給水優先順位とは、クローズド給水ボイラ台数制御部５０３が、オープン給水ボイラの台数を減少させて、クローズド給水ボイラの台数を増加させる場合に、燃焼状態にある複数のオープン給水ボイラの中から、クローズド給水対象とするボイラを選択する場合の優先順位を示す。
給水優先順位設定部５０７は、燃焼状態のボイラに対して、燃焼時間に基づいてドレンの供給を優先するクローズド給水優先順位を設定する。
より具体的には、給水優先順位設定部５０７は、基本的には負荷が高く、より長時間燃焼状態にある貫流ボイラ１１のクローズド給水優先順位を高くするように設定及び変更を行う。
そうすることで、ドレン供給制御部５０３１は、貫流ボイラ１１へのドレンの供給を開始させる場合、給水優先順位設定部５０７により設定されたクローズド給水優先順位の高い貫流ボイラ１１を選択して、選択された貫流ボイラ１１に対応して設置されたドレン供給弁３２を開状態とさせることで、当該貫流ボイラ１１へのドレンの供給を開始させる。
逆に、ドレン供給制御部５０３１は、クローズド給水ボイラへのドレンの供給を停止させる場合、給水優先順位設定部５０７により設定されたクローズド給水優先順位の低い貫流ボイラ１１を選択して、選択された貫流ボイラ１１に対応して設置されたドレン供給弁３２を閉状態とすることで、当該貫流ボイラ１１へのドレンの供給を停止させる。
このようにすることで、熱効率をより高めることができる。
【００４１】
前述したように、クローズド給水優先順位は、台数制御における公知の燃焼優先順位とは異なる。ただし、給水優先順位設定部５０７は、台数制御部によりボイラ装置を停止させて再起動する場合には、台数制御における燃焼優先順位に基づいて、クローズド給水優先順位を初期設定するようにしてもよい。
以上、ドレン回収システム１の構成について説明した。次に、ドレン回収システム１のクローズド給水ボイラ台数制御に係る処理について説明する。図３Ａ及び図３Ｂは、クローズド給水ボイラ台数制御に係る処理手順を示すフローチャートである。なお、クローズド給水ボイラの最大台数ｄは予め設定されているものとする。図３Ａ及び図３Ｂを参照する。
【００４２】
図３Ａを参照すると、ステップＳＴ１０１において、ドレン回収システム１が稼働している。
ステップＳＴ１０２において、制御部５０（加圧蒸気供給制御部５０１）は、ドレンタンク２０の内部の圧力が、第１圧力値以下（又は下回る）かどうか、を検出する。第１圧力値以下となる（又は下回る）場合（Ｙｅｓ）、ステップＳＴ１０３に移る。第１圧力値を上回る（又は以上となる）場合（Ｎｏ）、ステップＳＴ１１０に移る。
【００４３】
ステップＳＴ１０３において、制御部５０は、ドレンタンク２０の内部の水位が、Ｌ以下（又はＬを下回る）かどうか、を検出する。Ｌ以下となる（又はＬを下回る）場合（Ｙｅｓ）、ステップＳＴ１２０に移る。Ｌを上回る（又はＬ以上となる）場合（Ｎｏ）、ステップＳＴ１０４に移る。
【００４４】
ステップＳＴ１０４において、制御部５０（加圧蒸気供給制御部５０１）は、ドレンタンク２０内の圧力が第１圧力値以上となる（又は第１圧力値を上回る）まで、加圧蒸気の供給を行う。
その後、ステップＳＴ１１２に移る。
【００４５】
ステップＳＴ１１０において、制御部５０は、ドレンタンク２０の内部の水位が、ＬＬ以下（又はＬＬを下回る）かどうか、を検出する。ドレンタンク２０の内部の水位が、ＬＬ以下となる（又はＬＬを下回る）場合（Ｙｅｓ）、ステップＳＴ１１１に移る。ドレンタンク２０の内部の水位が、ＬＬを超える（又はＬＬ以上となる）場合（Ｎｏ）、ステップＳＴ１１２に移る。
【００４６】
ステップＳＴ１１１において、制御部５０は、ドレンタンク２０の水位がＬに到達するまで、オープンタンク３０に貯留された補給水を供給する。その後、ステップＳＴ１０１に移る。
【００４７】
図３Ｂを参照すると、ステップＳＴ１１２において、制御部５０は、ドレンタンク２０の内部の水位が、Ｈ以下（又はＨを下回る）かどうか、を検出する。Ｈ以下となる（又はＨを下回る）場合（Ｙｅｓ）、ステップＳＴ１０１に移る。Ｈを上回る（又はＨ以上となる）場合（Ｎｏ）、ステップＳＴ１１３に移る。
【００４８】
ステップＳＴ１１３において、制御部５０は、クローズド給水ボイラ台数＜Ｎかどうか、を判定する。クローズド給水ボイラ台数＜Ｎの場合（Ｙｅｓ）、ステップＳＴ１１４に移る。クローズド給水ボイラ台数＝Ｎの場合（Ｎｏ）、ステップＳＴ１１５に移る。
【００４９】
ステップＳＴ１１４において、制御部５０は、クローズド給水優先順位に基づいて、オープン給水ボイラから１台選択して、オープンタンク３０からの給水に換えてドレンタンク２０からの給水に変更する（すなわち、クローズド給水ボイラを増加させる）。
その後、ステップＳＴ１０１に移る。
【００５０】
ステップＳＴ１１５において、制御部５０は、（クローズド給水ボイラが最大数割り当てられた状態で、ドレンタンク２０の水位がＨを超えている旨の）警告メッセージを通知する。
その後、ステップＳＴ１０１に移る。
【００５１】
ステップＳＴ１２０において、制御部５０は、クローズド給水優先順位に基づいて、クローズド給水ボイラから１台選択して、ドレンタンク２０からの給水に換えてオープンタンク３０からの給水に変更する（すなわち、クローズド給水ボイラを減少させる）。
その後、ステップＳＴ１０１に移る。
なお、前述したフローチャートのステップＳＴ１２０において、クローズド給水ボイラ台数がゼロの状態で、クローズド給水ボイラを減少させることができない場合には、例えば（クローズド給水ボイラがゼロ台の状態で、ドレンタンク２０の内部の圧力が、第１圧力値以下（又は下回る）であるとともに、ドレンタンク２０の水位がＬ以下となる（又はＬを下回る）旨の）警告メッセージを通知するとともに、例えばステップＳＴ１０４に移り、ドレンタンク２０の内部の圧力が、第１圧力値以上になるまで、加圧蒸気を供給するようにしてもよい。
【００５２】
［第１実施形態の効果］
以上のように、第１実施形態において、制御部５０は、ドレンタンク２０の内部圧力が閾値（例えば第１圧力値）以下となり（又は下回り）、かつドレンタンク２０の内部水位が閾値（例えば第１水位Ｌ）以下になる（又は第１水位Ｌを下回る）と、クローズド給水台数を１台減らすように制御する。
これにより、ドレン量に応じてクローズド給水ボイラ台数を制御することにより、ドレンを無駄なく利用することが可能となり、熱効率をより高めることができる。
なお、ドレンタンク２０の内部圧力が閾値（例えば第１圧力値）以下となる（又は下回る）場合、クローズド給水ボイラ台数を減少させるとともに、減少対象となったクローズド給水ボイラをオープン給水ボイラにすることで、従来（クローズド給水ボイラ台数をそのままとし、加圧蒸気量を増やすこと）に比較して、余分に加圧蒸気量をドレンタンク２０に内部に供給する必要が無くなり、熱効率の低下を防ぐことができる。それにより、ドレン量を増やすことが可能となり、ドレンタンク２０の内部水位を上げることができる。このように、ドレン量が減少した場合であっても、クローズドドレン回収装置の加圧状態を安定化し加圧蒸気量を節約することができる。
【００５３】
なお、第１実施形態では、ドレンタンク２０の内部の圧力を検出する圧力センサ２０１を設け、加圧蒸気供給制御部５０１は、圧力センサ２０１によって検出されるドレンタンク２０内の圧力に応じて加圧蒸気をドレンタンク２０に供給するように制御し、クローズド給水ボイラ台数制御部５０３は、圧力センサ２０１により検出されるドレンタンク２０の内部の圧力値及び水位センサ２０２により検出されるドレンタンク２０の内部の水位に基づいて、クローズド給水ボイラ台数を減少させるように構成されたが、これに限定されない。
【００５４】
［変形例１］ポンプ吐出圧力
図４に示すように、例えば、ドレン供給ラインＬ３にポンプ吐出圧力検出部３５を設置し、ドレン回収システム１は、ドレン供給ラインＬ３におけるドレン供給ポンプ３１のポンプ吐出圧力を監視するポンプ吐出圧力検出部３５を備えるように構成してもよい。
その場合、加圧蒸気供給制御部５０１は、ポンプ吐出圧力検出部３５により検出されるポンプ吐出圧力が予め設定された圧力値（第２圧力値）以下となる（又は下回る）場合に、加圧蒸気をドレンタンク２０に供給させるようにしてもよい。
ただし、クローズド給水ボイラ台数制御部５０３は、ポンプ吐出圧力検出部３５により検出されるポンプ吐出圧力が予め設定された第２圧力値以下となり（又は下回り）、かつ水位センサ２０２により検出されるドレンタンク２０内の水位がＬ以下となる（又は下回る）場合には、クローズド給水ボイラ台数制御部５０３は、クローズド給水優先順位の低い貫流ボイラ１１を選択して、当該貫流ボイラ１１へのドレン供給を停止する（すなわち、クローズド給水ボイラの台数を減少させる）ように構成してもよい。
第１実施形態の変形例１において、制御部５０は、ドレン供給ポンプ３１におけるポンプ吐出圧力が閾値（例えば第２圧力値）以下となり（又は下回り）、かつドレンタンク２０の内部水位が閾値（例えば第１水位Ｌ）以下になる（又は第１水位Ｌを下回る）と、クローズド給水台数を１台減らすように制御する。
これにより、前述した第１実施形態と同様の効果を得ることができる。
【００５５】
［第２実施形態］
次に、第２実施形態に係るドレン回収システム１Ａにつき、図５及び図６を参照しながら説明する。第２実施形態のドレン回収システム１Ａは、（１）ドレンタンク２０Ａの容量が、例えば１０Ｌ〜４０Ｌ程度の小容量の圧力容器により構成されること、（２）ドレンタンク２０Ａの内部の圧力値を監視しないこと、（３）貫流ボイラ１１で生成された蒸気（加圧蒸気）をドレンタンク２０Ａに供給する構成を備えていないこと、（４）クローズド給水ボイラ台数制御部５０３Ａは、水位センサ２０２によりドレンタンク２０Ａ内の水位が予め設定された水位の範囲に基づいて、クローズド給水ボイラの台数の増減を制御する点等で、第１実施形態と異なる。
【００５６】
ドレン回収システム１Ａは、図５に示すとおり、ボイラ装置１０と、密閉型の小容量の圧力容器により構成されるドレンタンク２０Ａと、オープンタンク３０と、負荷機器４０と、制御部５０Ａと、を備える。また、ドレン回収システム１Ａは、これらの機器を接続し、蒸気又は水が流通する複数のラインを備える。具体的には、ドレン回収システム１は、ラインとして、蒸気供給ラインＬ１と、ドレン回収ラインＬ２と、ドレン供給ラインＬ３と、フラッシュ蒸気ラインＬ４と、予備給水ラインＬ５と、オーバーフローラインＬ８と、を備える。
【００５７】
なお、ドレン回収システム１Ａは、第１実施形態と異なり、蒸気ヘッダ１２から、貫流ボイラ１１で生成された蒸気をドレンタンク２０に供給する加圧蒸気ラインＬ６、及びオープンタンク３０内に貯留された補給水をドレンタンク２０Ａに供給する補給水ラインＬ７を備えない。また、ドレン回収システム１Ａは、加圧蒸気ラインＬ６に配置される圧力調整弁６１及び加圧弁６２、並びに補給水ラインＬ７に配置される補給水ポンプ７１及び逆止弁７２を備えない。また、ドレン回収システム１Ａは、ドレンタンク２０Ａの内部の圧力を検出するための圧力センサ２０１を備えない。
【００５８】
次に、ドレン回収システム１Ａについて、特に第１実施形態と異なる機能を有する構成要素について説明する。なお、尚、第１実施形態と同一構成要件を備えるものについては同一符号を付し、その説明を省略もしくは簡略化する。
【００５９】
ドレンタンク２０Ａは、前述したように、密閉型の例えば１０Ｌ〜４０Ｌ程度の小容量の圧力容器により構成される。
ドレンタンク２０Ａには、ドレンタンク２０Ａの内部の水位を検出する水位センサ２０２Ａが設けられる。
【００６０】
オーバーフローラインＬ８は、ドレンタンク２０Ａとオープンタンク３０とを接続する。オーバーフローラインＬ８には、オーバーフロー用モータバルブ８１が配置される。水位センサ２０２Ａにより検出されるドレンタンク２０の内部の水位が例えばオーバーフロー水位になるか又は、オーバーフロー水位を上回ると、後述する制御部５０Ａはオーバーフロー用モータバルブ８１をオンにし、ドレンタンク２０Ａの内部の水位がオーバーフロー水位以下の所定の水位となるまで、ドレンタンク２０Ａからドレンをオープンタンク３０に導入する。以下、このようなドレンタンク２０Ａからオープンタンク３０へのドレンの導入を「オーバーフロー」ともいう。
このように、オープンタンク３０には、オーバーフローラインＬ８を通じて、ドレンタンク２０Ａの水位が所定の水位以上となる、又は所定の水位を超える場合、ドレンタンク２０Ａからドレンが導入される。
【００６１】
［水位センサ２０２Ａ］
水位センサ２０２Ａは、複数のレベルスイッチを備え、ドレンタンク２０Ａにおけるドレンポンプ停止水位、第１水位（以下、「低水位」ともいう）、第２水位（以下、「高水位」ともいう）、及びオーバーフロー水位の各水位を、それぞれ検出する。これらの水位は、以下の関係を満たすように設定される。
ドレンポンプ停止水位＜低水位＜高水位＜オーバーフロー水位。
【００６２】
より具体的には、ドレンタンク２０Ａの内部の水位が低水位以下となる（又は下回る）場合、後述するように、クローズド給水ボイラ台数を減少させるとともに、オープン給水ボイラの台数を増加させるように制御される。こうすることで、ボイラ装置１０に対してドレンの供給量を減らし、ドレンタンク２０Ａの内部の水位を上昇させることができる。
なお、ドレンタンク２０Ａの内部の水位がドレンポンプ停止水位以下となる（又は下回る）場合、後述するように、ドレン供給ポンプ３１を停止させるとともに、予備給水ラインＬ５を介して、全ての燃焼ボイラに対してオープンタンク３０に貯留された補給水を直接供給するように制御させる。その後、ドレンタンク２０Ａ内の水位が上昇して、その水位が所定の水位に到達すると、ドレン供給ポンプ３１をオンするように制御される。
【００６３】
また、ドレンタンク２０Ａの内部の水位が高水位になるか又は高水位を上回る場合、後述するように、クローズド給水ボイラ台数を増加させるとともに、オープン給水ボイラの台数を減少させるように制御される。こうすることで、ボイラ装置１０に対してドレンの供給量を増やし、ドレンタンク２０Ａの内部の水位を低下させることができる。
なお、ドレンタンク２０Ａの内部の水位がオーバーフロー水位以上となる（又は上回る）場合、後述するように、オーバーフロー用モータバルブ８１がオンされて、ドレンタンク２０Ａに貯留したドレンをオーバーフローさせるように制御される。その後、ドレンタンク２０Ａ内の水位が低下して、その水位が所定の水位に到達すると、オーバーフロー用モータバルブ８１がオフするように制御される。
【００６４】
このように、第２実施形態に係るドレン回収システム１Ａにおいては、ドレンタンク２０Ａの内部の水位に基づいて、クローズド給水ボイラ台数が制御される。
このため、制御部５０Ａは、水位センサ２０２Ａからの信号を入力して、ドレン供給ポンプ３１、ドレン供給弁３２、補助ポンプ５１、オーバーフロー用モータバルブ８１等を制御可能に構成される。
具体的には、図６に示すように、制御部５０Ａは、オーバーフロー制御部５０２と、クローズド給水ボイラ台数制御部５０３Ａと、クローズド給水ボイラ台数設定部５０６と、給水優先順位設定部５０７と、備える。ここで、クローズド給水ボイラ台数制御部５０３Ａは、ドレン供給制御部５０３１Ａと予備給水制御部５０３２Ａを備える。
【００６５】
オーバーフロー制御部５０２は、水位センサ２０２Ａにより検出されるドレンタンク２０Ａ内の水位がオーバーフロー水位になるか又は、オーバーフロー水位を上回ると、オーバーフロー用モータバルブ８１をオンにし、ドレンをオープンタンク３０にオーバーフローさせる。その後、水位センサ２０２Ａにより検出されるドレンタンク２０Ａ内の水位がオーバーフロー水位以下の所定の水位（例えば、低水位と高水位との間の水位）となった場合、オーバーフロー用モータバルブ８１をオフにし、オーバーフローを停止させる。
【００６６】
クローズド給水ボイラ台数制御部５０３Ａは、ドレン供給制御部５０３１Ａと、予備給水制御部５０３２Ａと、を備える。
【００６７】
水位センサ２０２Ａにより検出されるドレンタンク２０Ａの内部の水位が低水位になるか又は低水位を下回る場合、ドレン供給制御部５０３１Ａは、クローズド給水優先順位の低い貫流ボイラ１１に対してドレン供給弁３２を閉状態とすることで、当該貫流ボイラ１１へのドレンの供給を停止させる。
また、予備給水制御部５０３２Ａは、ドレン供給を停止した当該貫流ボイラ１１に対して設置された補助ポンプ５１を起動することで、予備給水ラインＬ５を介してオープンタンク３０に貯留された補給水を供給する。
このように、クローズド給水ボイラ台数制御部５０３Ａは、ドレンタンク２０Ａの内部の水位が低水位になるか又は低水位を下回る場合、クローズド給水ボイラ台数を減少させるとともに、オープン給水ボイラの台数を増加させることができる。
これにより、例えばドレンの回収量が少なくなる、又はボイラ装置１０でのドレン使用量が増大することで、ドレンタンク２０Ａの水位が低下した場合においても、クローズド供給ボイラに対するドレンの供給を安定させることができるとともに、ドレンタンク２０Ａの水位を上げることができる。
なお、クローズド給水ボイラ台数制御部５０３Ａは、ドレンタンク２０Ａ内の水位がドレンポンプ停止水位になるか又はドレンポンプ停止水位を下回る場合、ドレン供給ポンプ３１を停止させることで、クローズド給水ボイラの台数をゼロにするとともに、ドレン供給が停止された全ての貫流ボイラ１１に対して、オープンタンク３０に貯留された補給水を予備給水ラインＬ５を介して供給させることで、全ての燃焼ボイラをオープン給水ボイラとする。
その後、ドレンタンク２０Ａ内の水位が上昇して、その水位が所定の水位に到達すると、ドレン供給ポンプ３１をオンするように制御される。
【００６８】
また、ドレンタンク２０Ａ内の水位が上がり、高水位Ｈになるか又は高水位Ｈを上回る場合、予備給水制御部５０３２Ａは、クローズド給水優先順位の高い貫流ボイラ１１に対して補助ポンプ５１を停止することで、オープンタンク３０に貯留された補給水の供給を停止させる。また、ドレン供給制御部５０３１Ａは、補給水の供給を停止した当該貫流ボイラ１１に対して、ドレン供給弁３２を開状態とすることで、ドレン供給ラインＬ３を介してドレンの供給を開始する。
このように、クローズド給水ボイラ台数制御部５０３は、ドレンタンク２０内の水位が高水位Ｈになるか又は高水位Ｈを上回る場合、クローズド給水ボイラの台数を増加させるとともに、オープン給水ボイラの台数を減少させることができる。
これにより、例えばドレンの回収量が増える、又はボイラ装置１０でのドレン使用量が減少することで、ドレンタンク２０Ａの水位が上昇した場合においても、クローズド供給ボイラに対するドレンの供給を安定させることができるとともに、ドレンタンク２０Ａの水位を上げることができる。
なお、ドレンタンク２０Ａ内の水位が予め設定されたオーバーフロー水位になるか又はオーバーフロー水位を上回る場合、前述したように、オーバーフロー制御部５０２は、オーバーフロー用モータバルブ８１をオンにし、ドレンをオープンタンク３０にオーバーフローさせる。この際、クローズド給水ボイラ台数制御部５０３Ａは、全ての燃焼ボイラに対してドレン供給ラインＬ３を介してドレンを供給するとともに、予備給水ラインＬ５を介してオープンタンク３０に貯留された補給水の供給を全て停止させることで、オープン給水ボイラの台数をゼロにすることが好ましい。
以上のように、第２実施形態においても第１実施形態と同様に、ドレン量に応じてクローズド給水ボイラ台数を制御することにより、ドレンを無駄なく利用することが可能となり、熱効率をより高めることができる。
すなわち、ドレン量が減少した場合でも、クローズド給水ボイラ台数を減少させて、オープン給水ボイラ台数を増加させることで、ドレンをクローズド供給ボイラに対して安定的に供給することが可能となるとともに、その結果ドレン量を増やすことが可能となり、ドレンタンク２０の内部水位を上げることができる。
逆に、ドレン量が増加した場合でも、クローズド給水ボイラ台数を増加させて、オープン給水ボイラ台数を減少させることで、ドレンをクローズド供給ボイラに対して安定的に供給することが可能となるとともに、その結果、ドレンタンク２０の内部水位を下げることができる。
【００６９】
以上、ドレン回収システム１Ａの構成について説明した。次に、ドレン回収システム１Ａのクローズド給水ボイラ台数制御に係る処理について説明する。図７Ａ及び図７Ｂは、クローズド給水ボイラ台数制御に係る処理手順を示すフローチャートである。なお、クローズド給水ボイラの最大台数Ｎは予め設定されているものとする。
【００７０】
図７Ａを参照すると、ステップＳＴ２０１において、ドレン回収システム１Ａが現状構成で稼働している。
ステップＳＴ２０２において、制御部５０Ａは、ドレンタンク２０Ａの内部の水位が、ドレンポンプ停止水位以下（又はドレンポンプ停止水位を下回る）かどうか、を検出する。ドレンポンプ停止水位以下となる（又はドレンポンプ停止水位を下回る）場合（Ｙｅｓ）、ステップＳＴ２０３に移る。ドレンポンプ停止水位を上回る（又はドレンポンプ停止水位以上となる）場合（Ｎｏ）、ステップＳＴ２０４に移る。
【００７１】
ステップＳＴ２０３において、制御部５０Ａは、ドレン供給ポンプ３１を停止させ、全ての燃焼ボイラをオープン給水ボイラとする。
その後、ステップＳＴ２０１に移る。
【００７２】
ステップＳＴ２０４において、制御部５０Ａは、ドレンタンク２０Ａの内部の水位が、オーバーフロー水位以上（又はオーバーフロー水位を上回る）かどうか、を検出する。オーバーフロー水位以上となる（又はオーバーフロー水位を上回る）場合（Ｙｅｓ）、ステップＳＴ２０５に移る。オーバーフロー水位を下回る（又はオーバーフロー水位以下となる）場合（Ｎｏ）、ステップＳＴ２１０に移る。
【００７３】
ステップＳＴ２０５において、制御部５０Ａは、ドレンタンク２０Ａの内部の水位が、所定の水位に到達するまでドレンタンク２０Ａのドレンをオーバーフローさせる。
その後、ステップＳＴ２０１に移る。
【００７４】
図７Ｂを参照すると、ステップＳＴ２１０において、制御部５０Ａは、ドレンタンク２０の内部の水位が、低水位以下（又は低水位を下回る）かどうか、を検出する。低水位以下となる（又は低水位を下回る）場合（Ｙｅｓ）、ステップＳＴ２１１に移る。低水位を上回る（又は低水位以上となる）場合（Ｎｏ）、ステップＳＴ２１２に移る。
【００７５】
ステップＳＴ２１１において、制御部５０Ａは、クローズド給水優先順位に基づいて、クローズド給水ボイラから１台選択して、ドレンタンク２０Ａからの給水に換えてオープンタンク３０からの給水に変更する（すなわち、クローズド給水ボイラ台数を減少させる）。
その後、ステップＳＴ２０１に移る。
【００７６】
ステップＳＴ２１２において、制御部５０Ａは、ドレンタンク２０の内部の水位が、高水位以上（又は高水位を上回る）かどうか、を検出する。ドレンタンク２０の内部の水位が、高水位以上となる（又は高水位を上回る）場合（Ｙｅｓ）、ステップＳＴ２１３に移る。ドレンタンク２０の内部の水位が、高水位以下となる（又は高水位を下回る）場合（Ｎｏ）、ステップＳＴ２０１に移る。
【００７７】
ステップＳＴ２１３において、制御部５０Ａは、クローズド給水ボイラ台数＜Ｎかどうか、を判定する。クローズド給水ボイラ台数＜Ｎの場合（Ｙｅｓ）、ステップＳＴ２１４に移る。クローズド給水ボイラ台数＝Ｎの場合（Ｎｏ）、ステップＳＴ２１５に移る。
【００７８】
ステップＳＴ２１４において、制御部５０Ａは、クローズド給水優先順位に基づいて、オープン給水ボイラから１台選択して、オープンタンク３０からの給水に換えてドレンタンク２０Ａからの給水に変更する（すなわち、クローズド給水ボイラを増加させる）。
その後、ステップＳＴ２０１に移る。
【００７９】
ステップＳＴ２１５において、制御部５０Ａは、（クローズド給水ボイラが最大数割り当てられた状態で、ドレンタンク２０Ａの水位が高水位を超えている旨の）警告メッセージを通知する。
その後、ステップＳＴ２０１に移る。
なお、前述したフローチャートのステップＳＴ２１１において、クローズド給水ボイラ台数がゼロの状態で、クローズド給水ボイラを減少させることができない場合には、例えば（ドレンタンク２０の水位が低水位以下となる（又は低水位を下回る）旨の）警告メッセージを通知するようにしてもよい。
【００８０】
［第２実施形態の効果］
以上のように、第２実施形態において、制御部５０Ａは、ドレンタンク２０Ａの内部の水位が第１水位（例えば、低水位）以下、又は第１水位（例えば、低水位）を下まわると、クローズド給水台数を１台減らすように制御する。
これにより、ドレンタンク２０Ａが小容量の場合においても、第１実施形態の場合と同様の効果、すなわちクローズド給水ボイラ台数制御部５０３Ａの制御により、ドレン量に応じてクローズド給水ボイラ台数を制御することにより、ドレンを無駄なく利用することが可能となり、熱効率をより高めることができる。
なお、ドレンタンク２０Ａの内部の水位が第１水位（例えば、低水位）以下、又は第１水位（例えば、低水位）を下まわると、クローズド給水ボイラ台数を減少させるとともに、減少対象となったクローズド給水ボイラをオープン給水ボイラにすることで、ドレン量を増やすことが可能となり、ドレンタンク２０Ａの内部水位を上げることができる。
逆に、ドレンタンク２０Ａの内部の水位が第２水位（例えば、高水位）になるか又は第２水位（例えば、高水位）を超える場合、クローズド給水ボイラ台数を増加させることで、ドレンタンク２０Ａの内部水位を下げることができる。
【００８１】
［第３実施形態］
次に、第３実施形態に係るドレン回収システム１Ｂについて説明する。第１実施形態及び第２実施形態においては、制御部５０及び制御部５０Ａがそれぞれ、ドレン供給弁３２の開閉に係る制御、及び補助ポンプ５１の起動停止に係る制御を行った。これに対して第３実施形態のドレン回収システム１Ｂは、（１）貫流ボイラ１１Ｂがローカル制御部１５Ｂを備え、ローカル制御部１５Ｂが制御部５０Ｂからの指示（例えばクローズド給水信号）を受信して、当該指示に基づいて、ローカル制御部１５Ｂがドレン供給弁３２の開閉に係る制御と補助ポンプ５１の起動停止に係る制御を行う点で、第１実施形態及び第２実施形態と異なる。
【００８２】
次に、ドレン回収システム１Ｂについて、特に第１実施形態と異なる機能を有する構成要素について説明する。なお、尚、第１実施形態と同一構成要件を備えるものについては同一符号を付し、その説明を省略もしくは簡略化する。
【００８３】
制御部５０Ｂは、図８に示すように貫流ボイラ１１Ｂのローカル制御部１５Ｂと通信可能に接続される。具体的には、図９に示すように制御部５０Ｂは、加圧蒸気供給制御部５０１と、クローズド給水ボイラ台数制御部５０３Ｂと、補給水供給制御部５０４と、クローズド給水ボイラ台数設定部５０６と、給水優先順位設定部５０７と、備える。また、クローズド給水ボイラ台数制御部５０３Ｂは、ドレン供給制御部５０３１Ｂを備える。
【００８４】
ドレン供給制御部５０３１Ｂは、貫流ボイラ１１Ｂへのドレンの供給を開始させる場合、給水優先順位設定部５０７により設定されたクローズド給水優先順位の高い貫流ボイラ１１Ｂを選択して、選択された貫流ボイラ１１Ｂに対応するローカル制御部１５Ｂに対して、クローズド給水オン信号を送信することで、ドレンの供給を開始させることができる。
より具体的には、ローカル制御部１５Ｂは、ドレン供給制御部５０３１Ｂからクローズド給水オン信号を受信すると、対応するドレン供給弁３２を開状態とすることで、当該貫流ボイラ１１Ｂへのドレンの供給を開始させるとともに、対応する補助ポンプ５１を停止することで、当該貫流ボイラ１１Ｂへの、オープンタンク３０に貯留された補給水の供給を停止させることができる。
【００８５】
逆に、ドレン供給制御部５０３１Ｂは、貫流ボイラ１１Ｂへのドレンの供給を停止させる場合、給水優先順位設定部５０７により設定されたクローズド給水優先順位の低い貫流ボイラ１１Ｂを選択して、選択された貫流ボイラ１１Ｂに対応するローカル制御部１５Ｂに対して、クローズド給水オフ信号を送信することで、ドレンの供給を停止させることができる。
より具体的には、ローカル制御部１５Ｂは、ドレン供給制御部５０３１Ｂからクローズド給水オフ信号を受信すると、対応するドレン供給弁３２を閉状態とすることで、当該貫流ボイラ１１Ｂへのドレンの供給を停止させるとともに、対応する補助ポンプ５１を起動することで、当該貫流ボイラ１１Ｂへの、オープンタンク３０に貯留された補給水の供給を開始させることができる。
以上、ドレン回収システム１Ｂの構成について説明した。次に、ドレン回収システム１Ｂのクローズド給水ボイラ台数制御に係る処理について説明する。
【００８６】
ここでは、第１実施形態に係るドレン回収システム１のクローズド給水ボイラ台数制御に係る処理手順を示す図３Ａ及び図３Ｂに記載のフローチャートと、異なる手順（ステップ）について説明する。なお、第１実施形態における手順（ステップ）と同一のものについては同一符号を付し、その説明を省略もしくは簡略化する。
ドレン回収システム１Ｂのクローズド給水ボイラ台数制御に係る手順は、ドレン回収システム１のクローズド給水ボイラ台数制御に係る動作におけるステップＳＴ１０１からステップＳＴ１１３、及びステップＳＴ１１５において、制御部５０を制御部５０Ｂに読み換えた手順（ステップ）と、ステップＳＴ１１４及びステップＳＴ１２０をそれぞれ以下のステップＳＴ１１４及びステップ１２０に読み換えた手順（ステップ）と、により構成される。
【００８７】
ステップＳＴ１１４において、制御部５０Ｂは、クローズド給水優先順位に基づいて、オープン給水ボイラ１１Ｂから１台選択して、当該ボイラのローカル制御部１５Ｂに対して、クローズド給水オン信号を送信する。そうすることで、ローカル制御部１５Ｂは、対応するドレン供給弁３２を開状態とすることで、当該ボイラ１１Ｂへのドレンの供給を開始させるとともに、対応する補助ポンプ５１を停止する（すなわち、クローズド給水ボイラを増加させる）。
【００８８】
ステップＳＴ１２０において、制御部５０Ｂは、クローズド給水優先順位に基づいて、クローズド給水優先順位の低いクローズド給水ボイラ１１Ｂを選択して、選択されたクローズド給水ボイラ１１Ｂに対応するローカル制御部１５Ｂに対して、クローズド給水オフ信号を送信する。そうすることで、ローカル制御部１５Ｂは、対応するドレン供給弁３２を閉状態とすることで、当該ボイラ１１Ｂへのドレンの供給を停止させるとともに、対応する補助ポンプ５１を起動する（すなわち、クローズド給水ボイラを減少させる）。
【００８９】
［第３実施形態の効果］
以上のように、第３実施形態のドレン回収システム１Ｂにおいても、第１実施形態の場合と同様の効果、すなわちクローズド給水ボイラ台数制御部５０３Ｂ（ドレン供給制御部５０３１Ｂ）の制御により、ドレン量に応じてクローズド給水ボイラ台数を制御することにより、ドレンを無駄なく利用することが可能となり、熱効率をより高めることができる。
【００９０】
［変形例］ポンプ吐出圧力
なお、第３実施形態においても、第１実施形態と同様に、ドレン供給ラインＬ３にポンプ吐出圧力検出部３５を設置し、ドレン回収システム１は、ドレン供給ラインＬ３におけるドレン供給ポンプ３１のポンプ吐出圧力を監視するポンプ吐出圧力検出部３５を備えるように構成してもよい。
その場合、加圧蒸気供給制御部５０１は、ポンプ吐出圧力検出部３５により検出されるポンプ吐出圧力が予め設定された圧力値（第２圧力値）以下となる（又は下回る）場合に、加圧蒸気をドレンタンク２０に供給させるようにしてもよい。
この場合、クローズド給水ボイラ台数制御部５０３Ｂ（ドレン供給制御部５０３１Ｂ）は、ポンプ吐出圧力検出部３５により検出されるポンプ吐出圧力が予め設定された第２圧力値となり（又は下回り）、かつ水位センサ２０２により検出されるドレンタンク２０内の水位がＬとなる（又は下回る）場合には、クローズド給水ボイラ台数制御部５０３Ｂ（ドレン供給制御部５０３１Ｂ）は、クローズド給水優先順位の低い貫流ボイラ１１を選択して、当該貫流ボイラ１１に対応するローカル制御部１５Ｂに対して、クローズド給水オフ信号を送信するようにすることができる。
そうすることで、ローカル制御部１５Ｂは、対応するドレン供給弁３２を閉状態として、当該ボイラ１１Ｂへのドレンの供給を停止させるとともに、対応する補助ポンプ５１を起動することで、クローズド給水ボイラの台数を減少させることができる。
【００９１】
［第４実施形態］
次に、第４実施形態に係るドレン回収システム１Ｃについて説明する。第４実施形態のドレン回収システム１Ｃは、第３実施形態に係るドレン回収システム１Ｂと同様に（１）貫流ボイラ１１Ｃがローカル制御部１５Ｃを備え、ローカル制御部１５Ｃが制御部５０Ｃからの指示（例えばクローズド給水信号）に基づいて、ローカル制御部１５Ｃがドレン供給弁３２の開閉に係る制御と補助ポンプ５１の起動停止に係る制御を行う。
【００９２】
次に、ドレン回収システム１Ｃについて、特に第２実施形態と異なる機能を有する構成要素について説明する。なお、尚、第２実施形態と同一構成要件を備えるものについては同一符号を付し、その説明を省略もしくは簡略化する。
【００９３】
制御部５０Ｃは、図１０に示すように貫流ボイラ１１Ｃのローカル制御部１５Ｃと通信可能に接続される。具体的には、図１１に示すように、制御部５０Ｃは、オーバーフロー制御部５０２と、クローズド給水ボイラ台数制御部５０３Ｃと、クローズド給水ボイラ台数設定部５０６と、給水優先順位設定部５０７と、備える。また、クローズド給水ボイラ台数制御部５０３Ｃは、ドレン供給制御部５０３１Ｃを備える。
【００９４】
ドレン供給制御部５０３１Ｃは、貫流ボイラ１１Ｃへのドレンの供給を開始させる場合、給水優先順位設定部５０７により設定されたクローズド給水優先順位の高い貫流ボイラ１１Ｃを選択して、選択された貫流ボイラ１１Ｃに対応するローカル制御部１５Ｃに対して、クローズド給水オン信号を送信することで、ドレンの供給を開始させる。
より具体的には、ローカル制御部１５Ｃは、ドレン供給制御部５０３１Ｃからクローズド給水オン信号を受信すると、対応するドレン供給弁３２を開状態とすることで、当該貫流ボイラ１１Ｃへのドレンの供給を開始させるとともに、対応する補助ポンプ５１を停止することで、当該貫流ボイラ１１Ｃへの、オープンタンク３０に貯留された補給水の供給を停止させる。
【００９５】
逆に、ドレン供給制御部５０３１Ｃは、貫流ボイラ１１Ｃへのドレンの供給を停止させる場合、給水優先順位設定部５０７により設定されたクローズド給水優先順位の低い貫流ボイラ１１Ｃを選択して、選択された貫流ボイラ１１Ｃに対応するローカル制御部１５Ｃに対して、クローズド給水オフ信号を送信することで、ドレンの供給を停止させる。
より具体的には、ローカル制御部１５Ｃは、ドレン供給制御部５０３１Ｃからクローズド給水オフ信号を受信すると、対応するドレン供給弁３２を閉状態とすることで、当該貫流ボイラ１１Ｃへのドレンの供給を停止させるとともに、対応する補助ポンプ５１を起動することで、当該貫流ボイラ１１Ｃへの、オープンタンク３０に貯留された補給水の供給を開始させる。
以上、ドレン回収システム１Ｃの構成について説明した。次に、ドレン回収システム１Ｃのクローズド給水ボイラ台数制御に係る処理について説明する。
【００９６】
ここでは、第２実施形態に係るドレン回収システム１Ａのクローズド給水ボイラ台数制御に係る処理手順を示す図７Ａ及び図７Ｂに記載のフローチャートと、異なる手順（ステップ）について説明する。なお、第２実施形態における手順（ステップ）と同一のものについては同一符号を付し、その説明を省略もしくは簡略化する。
ドレン回収システム１Ｃのクローズド給水ボイラ台数制御に係る手順は、ドレン回収システム１Ａのクローズド給水ボイラ台数制御に係る動作におけるステップＳＴ２０１からステップＳＴ２０２、ステップＳＴ２０４からステップＳＴ２１０、ステップＳＴ２１２からステップ２１３、及びステップＳＴ２１５において、制御部５０Ａを制御部５０Ｃに読み換えた手順（ステップ）と、ステップＳＴ２０３、ステップＳＴ２１１、及びステップＳＴ２１４をそれぞれ以下のＳＴ２０３、ステップＳＴ２１１、及びステップＳＴ２１４に読み換えた手順（ステップ）と、により構成される。
【００９７】
ステップＳＴ２０３において、制御部５０Ｃは、全てのクローズド給水ボイラ１１Ｃに対応するローカル制御部１５Ｃに対して、クローズド給水オフ信号を送信する。そうすることで、ローカル制御部１５Ｃは、対応するドレン供給弁３２を閉状態とすることで、当該ボイラ１１Ｃへのドレンの供給を停止させるとともに、対応する補助ポンプ５１を起動する（すなわち、クローズド給水ボイラを全て停止させる）。
【００９８】
ステップＳＴ２１１において、制御部５０Ｃは、クローズド給水優先順位に基づいて、クローズド給水優先順位の低いクローズド給水ボイラ１１Ｃを選択して、選択されたクローズド給水ボイラ１１Ｃに対応するローカル制御部１５Ｃに対して、クローズド給水オフ信号を送信する。そうすることで、ローカル制御部１５Ｃは、対応するドレン供給弁３２を閉状態とすることで、当該ボイラ１１Ｃへのドレンの供給を停止させるとともに、対応する補助ポンプ５１を起動する（すなわち、クローズド給水ボイラを減少させる）。
【００９９】
ステップＳＴ２１４において、制御部５０Ｃは、クローズド給水優先順位に基づいて、オープン給水ボイラ１１Ｃから１台選択して、当該ボイラのローカル制御部１５Ｃに対して、クローズド給水オン信号を送信する。そうすることで、ローカル制御部１５Ｃは、対応するドレン供給弁３２を開状態とすることで、当該ボイラ１１Ｃへのドレンの供給を開始させるとともに、対応する補助ポンプ５１を停止する（すなわち、クローズド給水ボイラを増加させる）。
【０１００】
［第４実施形態の効果］
以上のように、第４実施形態のドレン回収システム１Ｃにおいても、第２実施形態の場合と同様の効果、すなわちクローズド給水ボイラ台数制御部５０３Ｃ（ドレン供給制御部５０３１Ｃ）の制御により、ドレン量に応じてクローズド給水ボイラ台数を制御することにより、ドレンを無駄なく利用することが可能となり、熱効率をより高めることができる。
【０１０１】
以上、本発明のドレン回収システムの好ましい各実施形態について説明したが、本発明は上述した実施形態に制限されるものではなく、適宜変更が可能である。
例えば、第１実施形態から第４実施形態では、４台の貫流ボイラ１１を有するボイラ装置１０を含んで構成したが、これに限らない。１台から３台の貫流ボイラを有するボイラ装置を含んで構成してもよく、５台以上の貫流ボイラを有するボイラ装置を含んで構成してもよい。
また、第１実施形態では、ドレンタンク２０のオーバーフローに係る構成を含んでいないが、第２実施形態と同様に、第１実施形態においても、オーバーフローラインＬ８を設けて、ドレンタンク２０とオープンタンク３０とを接続してドレンタンク２０の内部の水位が所定の水位になるか又は所定の水位を超える場合に、ドレンタンク２０の水位を下げるために、ドレンタンク２０からオープンタンク３０へのドレンを導入する構成を設けてもよい。
【０１０２】
また、第１実施形態から第４実施形態では、台数制御装置とは別に制御部５０、５０Ａ、５０Ｂ、５０Ｃを構成したが、台数制御装置に制御部５０、５０Ａ、５０Ｂ、５０Ｃに係る制御を行わせてもよい。
【符号の説明】
【０１０３】
１，１Ａ，１Ｂ，１Ｃ  ドレン回収システム
１０  ボイラ装置
１１，１１Ｂ、１１Ｃ  貫流ボイラ
１２  蒸気ヘッダ
１３  連結管
１５Ｂ，１５Ｃ  ローカル制御部
２０，２０Ａ  ドレンタンク
２０１  圧力センサ（圧力検出部）
２０２，２０２Ａ  水位センサ（水位検出部）
３０  オープンタンク
４０  負荷機器
５０，５０Ａ  制御部
５０１  加圧蒸気供給制御部
５０２  オーバーフロー制御部
５０３，５０３Ａ，５０３Ｂ，５０３Ｃ  クローズド給水ボイラ台数制御部
５０３１，５０３１Ａ，５０３１Ｂ，５０３１Ｃ  ドレン供給制御部
５０３２，５０３２Ａ  予備給水制御部
５０４  補給水供給制御部
５０６  クローズド給水ボイラ台数設定部
５０７  給水優先順位設定部
Ｌ１  蒸気供給ライン
Ｌ２  ドレン回収ライン
２１  スチームトラップ
２２  逆止弁
Ｌ３  ドレン供給ライン
３１  ドレン供給ポンプ
３２  ドレン供給弁
３５  ポンプ吐出圧力検出部
Ｌ４  フラッシュ蒸気ライン
４１  圧力調整弁
Ｌ５  予備給水ライン
５１  補助ポンプ
５２  逆止弁
Ｌ６  加圧蒸気ライン
６１  圧力調整弁
６２  加圧弁
Ｌ７  補給水ライン
７１  補給水ポンプ
７２  逆止弁
Ｌ８  オーバーフローライン
８１  オーバーフロー用モータバルブ
【図１】
2019124407.tif 000003
【図２】
2019124407.tif 000004
【図３Ａ】
2019124407.tif 000005
【図３Ｂ】
2019124407.tif 000006
【図４】
2019124407.tif 000007
【図５】
2019124407.tif 000008
【図６】
2019124407.tif 000009
【図７Ａ】
2019124407.tif 000010
【図７Ｂ】
2019124407.tif 000011
【図８】
2019124407.tif 000012
【図９】
2019124407.tif 000013
【図１０】
2019124407.tif 000014
【図１１】
2019124407.tif 000015